(57)【要約】【課題】  他機の機能名称変更を一斉に行うことを前提として、機能名称変更時期を把握することができるファクシミリ装置を提供する。【解決手段】  他機の機能名称変更を一斉に行うファクシミリ装置であって、機能名称変更を一斉に行う機能名称変更時期を予め設定すると共に他機に対して機能名称変更予約を行う操作手段４と、機能名称変更時期になった際、機能名称変更予約がすべて済んでいたら、一斉に機能名称変更を実行する制御を行う制御手段１とを備えた。【選択図】        図１
2007174515.tif 000002
【特許請求の範囲】
【請求項１】
他機の機能名称変更を一斉に行うファクシミリ装置であって、前記機能名称変更を一斉に行う機能名称変更時期を予め設定すると共に他機に対して機能名称変更予約を行う操作手段と、機能名称変更時期になった際、機能名称変更予約がすべて済んでいた場合、一斉に機能名称変更を実行する制御を行う制御手段と、を備えたことと特徴とするファクシミリ装置。
【請求項２】
請求項１に記載のファクシミリ装置において、機能名称変更時期になっても、機能名称変更予約が完了していない場合、前記制御手段は、前記操作手段にその旨報知させると共に、該操作手段は、予約キャンセルを受け付けることを特徴とするファクシミリ装置。
【請求項３】
請求項１に記載のファクシミリ装置において、機能名称変更時期になっても、機能名称変更予約が完了していない場合、前記制御手段は、前記操作手段にその旨報知させると共に、予約キャンセルの処理を実行することを特徴とするファクシミリ装置。
【発明の詳細な説明】
【技術分野】
【０００１】
本発明は、ファクシミリ装置（ファクシミリ機能を有する複合機を含む）に関し、特に、機能名称を変更することができるファクシミリ装置に関する。
【背景技術】
【０００２】
多機能のファクシミリ装置においては、特殊な機能に独特の名称が付けられていて、ユーザーは機器の表示部上でその名称を見ながら設定を行う。しかし、似たような機能でありながら、メーカーが異なると全く異なる名称が付けられていることが往々にしてありの、ユーザーとしては違和感を覚えることがある。
このような背景から、ユーザーの操作によって既成の機能名称をユーザーにとってなじみのある名称に変更することができ、取り扱い説明書を確認する時の利便性を考慮して変更前との対比ができるファクシミリ装置が提案されている。
また機器を一括購入の場合を想定して、１つの機器で行った機能名称変更を他の機器へも容易に適用できるようにし、更に、複数の機器に実際に適用される時間差が無くなるようにしたファクシミリ装置も提案されている。
【発明の開示】
【発明が解決しようとする課題】
【０００３】
上述したように他機の機能名称変更を一斉に行うファクシミリ装置の構想は従来からあったが、具体的にいつ、一斉に替わるのかが判らないと、ユーザーの混乱を招き兼ねない。
本発明は、他機の機能名称変更を一斉に行うことを前提として、機能名称変更時期を把握することができるファクシミリ装置を提供することを目的とする。
【課題を解決するための手段】
【０００４】
上記目的を達成するために、請求項１記載の発明は、他機の機能名称変更を一斉に行うファクシミリ装置であって、前記機能名称変更を一斉に行う機能名称変更時期を予め設定すると共に他機に対して機能名称変更予約を行う操作手段と、機能名称変更時期になった際、機能名称変更予約がすべて済んでいた場合、一斉に機能名称変更を実行する制御を行う制御手段と、を備えたことと特徴とする。
請求項２記載の発明は、請求項１に記載のファクシミリ装置において、機能名称変更時期になっても、機能名称変更予約が完了していない場合、前記制御手段は、前記操作手段にその旨報知させると共に、該操作手段は、予約キャンセルを受け付けることを特徴とする。
請求項３記載の発明は、請求項１に記載のファクシミリ装置において、機能名称変更時期になっても、機能名称変更予約が完了していない場合、前記制御手段は、前記操作手段にその旨報知させると共に、予約キャンセルの処理を実行することを特徴とする。
【発明の効果】
【０００５】
本発明によれば、一斉に機能名称変更される時期を予め明確に定めることができるようになり、ユーザーの混乱を防ぐことが可能になる。
【発明を実施するための最良の形態】
【０００６】
以下、図面を参照して、本発明の実施形態を詳細に説明する。
図１は本発明の実施形態に係るファクシミリ装置の機能ブロック図である。本ファクシミリ装置は、装置全体を制御するＣＰＵ１、制御のためのプログラムやデータ等を記憶しているＲＯＭ２、制御に必要な種々のデータを記憶するＲＡＭ３、オペレータによる操作入力を受け付けると共に情報をオペレータに伝えるオペポート４、原稿読み取りを行うスキャナ５を備える。
また、本ファクシミリ装置は、コピーや原稿出力を行うプロッタ６、通信回線の制御を行う網制御部７、送信信号の変調や受信信号の復調を行うモデム８、画情報を所定の符号化方式に従って符号化し、また、符号化された画情報を復号化する符号化・復号化部９、相手ファクシミリ装置との間でファクシミリ制御信号を交換しファクシミリ通信手順を実行する通信制御部１０を備える。これら各部はバス１１により接続されている。
図２は本発明のファクシミリ装置における第１の制御例を示すフローチャートである。まず他機の機能名称を一斉に変える時期をオペポート４で予め設定する。そして、機能名称予約処理を実行する（Ｓ１）。その後名称変更時期になったら（Ｓ２でＹ）、予約処理未完了の相手先があるか調べ（Ｓ３）、なければ他機の機能名称を一斉に変える処理を実行する（Ｓ４）。
【０００７】
図３は本発明のファクシミリ装置における第２の制御例を示すフローチャートである。まず他機の機能名称を一斉に変える時期をオペポート４で予め設定する。そして、機能名称予約処理を実行する（Ｓ１）。その後名称変更時期になったら（Ｓ２でＹ）、予約処理未完了の相手先があるか調べ（Ｓ３）、なければ他機の機能名称を一斉に変える処理を実行する（Ｓ４）。
ここで予約処理未完了の相手先があれば、オペポート４でその旨表示し（Ｓ５）、予約キャンセル操作があった場合は（Ｓ６でＹ）、予約キャンセルを実行する（Ｓ７）。
図４は本発明のファクシミリ装置における第３の制御例を示すフローチャートである。まず他機の機能名称を一斉に変える時期をオペポート４で予め設定する。そして、機能名称予約処理を実行する（Ｓ１）。その後名称変更時期になったら（Ｓ２でＹ）、予約処理未完了の相手先があるか調べ（Ｓ３）、なければ他機の機能名称を一斉に変える処理を実行する（Ｓ４）。
ここで予約処理未完了の相手先があれば、オペポート４でその旨表示し（Ｓ５）、予約キャンセルを自動的に実行する（Ｓ６）。
【図面の簡単な説明】
【０００８】
【図１】本発明の実施形態に係るファクシミリ装置の機能ブロック図。
【図２】本発明のファクシミリ装置における第１の制御例を示すフローチャート。
【図３】本発明のファクシミリ装置における第２の制御例を示すフローチャート。
【図４】本発明のファクシミリ装置における第３の制御例を示すフローチャート。
【符号の説明】
【０００９】
１  ＣＰＵ（制御手段）
４  オペポート（操作手段）
【図１】
2007174515.tif 000003
【図２】
2007174515.tif 000004
【図３】
2007174515.tif 000005
【図４】
2007174515.tif 000006